(57)【特許請求の範囲】
【請求項１】
空気が流通する浄化フィルターユニットと、この浄化フィルターユニットの下流側に設けられたファンモータと、前記浄化フィルターユニットと前記ファンモータとの間に配置され、前記空気に加湿する気化フィルターユニットと、前記気化フィルターユニットに水を供給するカートリッジ給水タンクとを有する空気清浄機において、
前記ファンモータは、ターボファンを含む遠心ファンと、前記遠心ファンを駆動し、かつ遠心ファン中央部内側に入り込むように置かれる電動機と、前記遠心ファンへ吸い込み流を導く吸い込み板と、前記遠心ファンの周りを囲い、かつ吐出口に向かって遠心ファン外周との間隙が拡がる渦巻状のケーシングとを有し、
前記浄化フィルターユニットの下流側の前記吸い込み板への空気流路は、
前記気化フィルターユニットを通過する第１の流路と、
前記ファンモータの上流にあるシャッターにより開閉が可能であり前記気化フィルターユニットを経由しない第２の流路とに分かれていることを特徴とする空気清浄機。
【請求項２】
空気が流通する浄化フィルターユニットと、この浄化フィルターユニットの下流側に設けられたファンモータと、前記浄化フィルターユニットと前記ファンモータとの間に配置され、前記空気に加湿する気化フィルターユニットと、前記気化フィルターユニットに水を供給するカートリッジ給水タンクとを有する空気清浄機において、
前記ファンモータは、ターボファンを含む遠心ファンと、前記遠心ファンを駆動し、かつ遠心ファン中央部内側に入り込むように置かれる電動機と、前記遠心ファンへ吸い込み流を導く吸い込み板と、前記遠心ファンの周りを囲い、かつ吐出口に向かって遠心ファン外周との間隙が拡がる渦巻状のケーシングとを有し、
前記浄化フィルターユニットの下流側の前記吸い込み板への空気流路は、開閉が可能なシャッターを設けた前記気化フィルターユニットを通過する流路と、開閉が可能なシャッターを設けた流路の２つの流路を備え、
各流路の開閉に用いる前記シャッターは一体で形成され、かつ前記ファンモータの上流にあり、一方の流路を開口時には、もう一方の流路を閉口することを特徴とする空気清浄機。
【請求項３】
請求項１または２に記載の空気清浄機において、
前記浄化フィルターユニット，気化フィルターユニット、及び前記ファンモータを内置する本体枠体と、前記シャッターを開閉動作されるためのシャッター動作用電動機をと有し、該シャッター動作用電動機を本体の上方に配置し、前記気化フィルターユニットを本体の下方に配置したことを特徴とする空気清浄機。
【発明の詳細な説明】
【技術分野】
【０００１】
本発明は、加湿機能を有する空気清浄機に関する。
【背景技術】
【０００２】
従来、この種の空気清浄機には、特許文献１のように空気流路の上流側に空気清浄フィルターを有する空気清浄部、その下流側に加湿ユニットを有する加湿部を配置し、吸込口から本体ケース内に取り込んだ空気を空気清浄フィルターにより浄化した後、加湿ユニットにより加湿して吹出口から本体ケース外に排出するものが開示されている。
【０００３】
また特許文献２には、フィルターにより浄化された空気の吹出す吹出口流路とは別に、浄化された空気の一部を選択的に取り込む加湿流路と、加湿流路に配置された加湿手段と、加湿手段により加湿された空気を本体ケース外に吹出す吹出口とを備えるものが開示されている。
【０００４】
【特許文献１】特開２００７−１０２３０号公報
【特許文献２】特開２００５−６１６５５号公報
【発明の開示】
【発明が解決しようとする課題】
【０００５】
しかしながら、特許文献１では、加湿する空気の量は、空気清浄フィルターの流通風量に依存するので室内空気が汚れて浄化風量を増やすと、加湿の要否に係わらず加湿量が増加してしまう欠点や、室内空気がきれいであっても加湿量を増加するためには、浄化風量を増やすので運転音が増加する欠点があった。
【０００６】
また、特許文献２では、浄化空気の吹出口と異なった位置に浄化空気された加湿空気の吹出口を設けるために、設置場所の制限や、送風効率の変化による騒音の増加，浄化性能の低下の欠点があった。
【０００７】
本発明の目的は上記課題を解決し、必要に応じて加湿量の増減を行うことができる加湿機能付空気清浄機を提供することにある。
【課題を解決するための手段】
【０００８】
上記目的を達成するために本発明の特徴とするところは、気化フィルターに水を供給するカートリッジ給水タンクとを有する空気清浄機において、ファンモータは、ターボファンを含む遠心ファンと、遠心ファンを駆動し、かつ遠心ファン中央部内側に入り込むように置かれる電動機と、遠心ファンの吸い込み流を導く吸い込み板と、遠心ファンの周り囲い、かつ吐出口に向かって遠心ファン外周との間隙が拡がる渦巻状のケーシングとを有し、フィルターユニットとファンモータとの間に置くカートリッジ給水タンクは、遠心ファン外周との間隙が狭い方側に来るように配置される、浄化フィルターユニットの下流側の吸い込み板への空気流路は気化フィルターユニットを通過する第１の流路と、前記ファンモータの上流にあるシャッターにより開閉が可能であり前記気化フィルターユニットを経由しない第２の流路とに分かれていることにある。
【発明の効果】
【０００９】
本発明によれば、浄化フィルターユニットの下流側のファンモータ吸い込み板への空気流路は気化フィルターユニットを通過する流路による加湿と、開閉可能なシャッターを設けた流路のシャッターの開閉による流量調節により、必要に応じて加湿量の増減を行うことができる加湿機能付空気清浄機を提供することができる。
【発明を実施するための最良の形態】
【００１０】
本発明の実施例について、図を用いて説明する。
【００１１】
まず、図１〜図５を引用して空気清浄機の概要から述べる。
【００１２】
図１，図２に示すように、本体枠体１は主部枠体２と前部枠体３を有する。本体枠体１の前面には、前面パネル４が取り付けられる。
【００１３】
本体枠体１は、内部にフィルターユニット５，気化フィルター６，ファンモータ７を備える。フィルターユニット５は、前部枠体３側に位置する。気化フィルター６は、ファンモータ７下部に位置する。ファンモータ７は、主部枠体２側に位置する。ファンモータ７は、ターボファン７ａ，電動機７ｂを有する。
【００１４】
主部枠体２は、内部にファンケーシング８を有する。ファンケーシング８内にファンモータ７が置かれる。ターボファン７ａに吸い込み流を導く吸い込み板９は、ファンケーシング８と共にターボファン７ａを囲んで形成される。
【００１５】
主部枠体３には、フィルターユニット５が、図４に示すように前部枠体３の前側の空間に収まるように置かれる。その奥側空間の上部には、図５に示すように開口すき間を備えたシャッター板２１と、シャッター板２１のすき間に対応して流路の開閉可能なシャッター２２を設けた流路を、下部には気化フィルター６が置かれる流路を備える。その空間の奥側に、吸い込み板９が存在する。
【００１６】
シャッター２２には、ガイドピン２３が設けられて上下方向に摺動が可能に、前部枠体３に取り付けられる。また、シャッター２２の上部には横長の長円状の切欠き穴部２４が設けられている。
【００１７】
吸い込み板９の上部には、シャッター２２の長円状の切欠き穴部２４に対応するカム板２５を備えたシャッター動作用の電動機２６が置かれる。このシャッター動作用の電動機２４は、前面を出力軸用の穴を備えたカバー（図示せず）と背面を吸い込み板９で囲み塵埃から保護される。
【００１８】
制御装置１０は、本体枠体１の前側上部に備えられる。この制御装置１０により、空気清浄機の運転が制御される。表示装置（図示せず）は、制御装置１０の近くに設けられる。
【００１９】
空気は、前面パネル４の周囲吸気口１１から吸い込まれ、フィルターユニット５内を流通して塵埃の除去が行われる。また、空気に含まれる臭いやホルムアルデヒド等の成分物質を除去する。
【００２０】
気化フィルター６は、塵埃や臭いやホルムアルデヒド等の成分物質が除去された空気に水分を加湿する。そして、ファンモータ７に吸い込まれた空気は、送風口１２から空気清浄機の外部に送風される。
【００２１】
図１，図３，図４に示す、カートリッジ給水タンク１３は、気化フィルター６に水分を浸み込ませる貯溜水タンク１４に水を補充する。このカートリッジ給水タンク１３は、本体枠体１の側面に取り外し自在に備わる。
【００２２】
図示されていないが、カートリッジ給水タンク１３の底部に設けたキャップは、水の出口を塞ぐ弁体を有する。カートリッジ給水タンク１３を本体枠体１からは外すと、弁体は出口を塞ぎ、貯溜水タンク１４に装着すると、弁体は出口を開くように作動する。
【００２３】
本体枠体１は、主部枠体２と前部枠体３の突合せ接合部１６を側面前側部に有する。前部枠体３は、前側からねじ込むネジ（図示せず）で、主部枠体２に締め付けられる。
【００２４】
ファンモータ７のターボファン７ａは、前部枠体３が主部枠体２に取り付けられる前に、前部枠体３の前側からファンケーシング８内に組み込まれる。電動機７ｂは主部枠体２に設けられる電動機支持カバー１７に嵌め込み支持される。
【００２５】
電動機７ｂが嵌め込まれる電動機支持カバー１７は、遠心ファンの中央部内側に入り込むように構成になっているので、電動機７ｂが本体枠体１の後側に突き出すことがなく、空気清浄機の奥行きを薄くコンパクトにまとめることができる。
【００２６】
貯溜水タンク１４を含む気化フィルターユニット１５は、図２，図４に示すように、主部枠体２の下部に側部から、カートリッジ給水タンク１３を外した後に取り外し自在に備わる。また、主部枠体２の下部に一体で形成された支持ベース２９上に置かれる。
【００２７】
前面パネル４は、上側に設けた掛け部（図示せず）を前部枠体３の上側に引っ掛け、下側に設けた係止突起（図示せず）を前部枠体３の下側の係止孔３０に係止して固定する。このような固定になっているので、フィルターユニット５のメンテナンスに際しては、前面パネル４は、容易に外すことができる。
【００２８】
図２，図３，図４に示すように、ファンモータ７は、ターボファン７ａを含む遠心ファンと、遠心ファンを駆動し、かつ遠心ファン中央部内側の入り込むように置かれる電動機７ｂとを有する。前部枠体３は、遠心ファンに吸い込み流れを導く吸い込み板９を有する。
【００２９】
主部枠体２は、遠心ファンの周りを囲い、かつ吐出口に向かって遠心ファン外周との間隙が拡がる渦巻状のケーシング８を有する。フィルターユニット５とファンモータ７との間にカートリッジ給水タンク１３が置かれる。そして、カートリッジ給水タンク１３は、遠心ファン外周との間隙が狭い方側に来るように配置し、気化フィルター６をカートリッジ給水タンク１３の反対側に寄せて配置した。
【００３０】
このように、吐出口に向かって遠心ファン外周との間隙が拡がる渦巻状のケーシング８と、フィルターユニット５とファンモータ７との間にカートリッジ給水タンク１３が置かれるカートリッジ給水タンク１３を遠心ファン外周との間隙が狭い方側に来るように配置することにより、空気清浄機の本体枠体１内にカートリッジ給水タンク１３を略半分埋没して収めることができる。
【００３１】
このため、空気清浄機の本体枠体１を大きくすることなく、カートリッジ給水タンク１３が空気清浄機の本体枠体１に略半分埋没して収まるので、コンパクトで体裁が良の良い空気清浄機を提供できる。
【００３２】
カートリッジ給水タンク１３の収納について更に詳しく述べる。
【００３３】
図３，図４に示すように、本体枠体１の主部枠体２は、側面にカートリッジ給水タンク１３が収まるタンク収納凹部２０を有する。カートリッジ給水タンク１３は、タンク収納凹部２０に着脱自在に取り付けられる。カートリッジ給水タンク１３は、上側に止め具（図示せず）を備える。カートリッジ給水タンク１３は、本体枠体１から外れないように止め具で、係止される。
【００３４】
カートリッジ給水タンク１３は、透明な材料を用いて形成される。これにより、カートリッジ給水タンク１３内に溜まる水量を見ることができる。
【００３５】
タンク収納凹部２０は、フィルターユニット５の奥側に位置する。しかも、タンク収納凹部２０は、遠心ファン外周とケーシング８との間隙が狭い方側に来るように配置する。そして、気化フィルター６をタンク収納凹部２０の反対側に寄せる。このような配置構成にすることにより、タンク収納凹部２０を設けても本体枠体１を大きくすることなく、コンパクトにまとめることができる。
【００３６】
図６に示すように、気化フィルターユニット１５は、気化フィルター６と気化フィルター６を保持する気化フィルターケース１８と貯溜水タンク１４に気化フィルターケース１８を保持する貯溜水タンクカバー１９と貯溜水タンク１４によりに形成される。気化フィルターケース１８は二分割が可能で内部の清掃が容易になっている。また、貯溜水タンクカバー１９は貯溜水タンク１４より取り外しが可能で内部の清掃が容易になっている。
【００３７】
本発明の実施例について、第２実施形態を図７，図８に沿って説明する。第１実施形態と同一部品ついては同一符号を付して説明を省略する。
【００３８】
第１実施形態では、主部枠体３前部枠体３の前側の空間に収まるフィルターユニット５の奥側空間の上部には、開口すき間を備えたシャッター板２１と、シャッター板のすき間に対応して流路の開閉可能なシャッター２２を設けた流路を、同奥側空間下部には気化フィルター６を形成したが、第２実施形態では、下部気化フィルター６の奥部にも、上部と同様に開口すき間を備えたシャッター板２１ａを備える。この気化フィルター６の奥部シャッター板２１ａのすき間に対応する流路の開閉可能なシャッター２２ａは、上部のシャッターと一体で形成され、一方の流路を開口時には、もう一方の流路を閉口するように構成される。
【００３９】
図７に示すように、この構成により加湿も空気清浄も必要な場合には、気化フィルターへの流路のみを開口して、フィルターユニット５を通過した空気に加湿をする送風流路２７により空気清浄を行うことができる。
【００４０】
図８に示すように、この構成により加湿の不要な場合には、気化フィルターへの流路のみを閉口して、フィルターユニット５のみを通過した加湿をしない送風流路２８により空気清浄を行うことができる。
【００４１】
本体枠体１を構成する主部枠体２，前部枠体３，支持ベース２９，前面パネル４，ターボファン７ａ，ファンケーシング８，吸い込み板９，貯溜水タンク１４，カートリッジ給水タンク１３，フィルター支持台１５，シャッター板２１，シャッター２２は合成樹脂で形成される。
【図面の簡単な説明】
【００４２】
【図１】本発明の第１実施例を示すもので、カートリッジ給水タンクが備わる方から空気清浄機を見た外観側斜視図である。
【図２】本発明の第１実施例を示すもので、空気清浄機を側面方向から見た縦断面図である。
【図３】本発明の第１実施例を示すもので、図２の電動機軸中心での断面図である。
【図４】本発明の第１実施例を示すもので、図３を斜め上方から見た図である。
【図５】本発明の第１実施例を示すもので、前部枠体とのシャッターとの組み合わせを示す図である。
【図６】本発明の第１実施例を示すもので、気化フィルターと貯溜水タンクの組み合わせを斜め前側から見た斜視図である。
【図７】本発明の第２実施例を示すもので、加湿流路を開口時の空気清浄機を側面方向から見た縦断面図である。
【図８】本発明の第２実施例を示すもので、加湿流路を閉口時の空気清浄機を側面方向から見た縦断面図である。
【符号の説明】
【００４３】
１  本体枠体
２  主部枠体
３  前部枠体
４  前面パネル
５  フィルターユニット
６  気化フィルター
７  ファンモータ
７ａ  ターボファン
７ｂ  電動機
８  ファンケーシング
９  吸い込み板
１０  制御装置
１１  周囲吸気口
１２  送風口
１３  カートリッジ給水タンク
１４  貯溜水タンク
１５  気化フィルターユニット
１６  突合せ接合部
１７  電動機支持カバー
１８  気化フィルターケース
１９  貯溜水タンクカバー
２０  タンク収納凹部
２１  シャッター板
２２  シャッター
２３  ガイドピン
２４  長円状の切欠き穴部
２５  カム板
２６  シャッター動作用の電動機
２７  加湿をする送風流路
２８  加湿をしない送風流路
【図１】
0005150179.tif 000002
【図２】
0005150179.tif 000003
【図３】
0005150179.tif 000004
【図４】
0005150179.tif 000005
【図５】
0005150179.tif 000006
【図６】
0005150179.tif 000007
【図７】
0005150179.tif 000008
【図８】
0005150179.tif 000009